(57)【要約】【課題】高圧受電設備までの電話回線の設置工事が必要となり、工事費及び工事期間が必要になる。【解決手段】複数の自家変電設備１０における高圧受電設備１１にトランスでの電流の漏洩、トランスの温度上昇、煙の発生等がデータをアナログ計測部１６で検出し、マイコン制御部１７は、アナログ計測部１６にて検出した検出データを、予め設定されたレベルと比較処理をして、レベルが異常値であれば警報データとし、その警報データの内容を判断し、警報発生状況を把握した後、警報内容に従ってデータ通信用インターフェース１３を起動して警報データをＰＨＳ回路網などの無線回路網４０に送出して集中管理設備３０の管理側データ通信用インターフェース３１を介して集中管理装置３２において複数の自家変電設備１０を監視する。【選択図】　図１
2004040641.tif 000002
【特許請求の範囲】
【請求項１】
複数の自家変電設備における高圧受電設備が出力するデータを検出するセンサー手段と、
前記センサー手段が検出した検出データを、予め設定されたレベルと比較処理をして、前記レベルが異常値であれば警報データとして、その内容を判断して警報発生状況を把握した後、警報内容に従って前記警報データを出力するデータ処理手段と、
前記データ処理手段から出力された前記警報データを無電伝送する無電伝送手段と、
前記無電伝送手段からの前記警報データを受信して前記複数の自家変電設備を集中管理する集中管理手段とを備えたことを特徴とする自家変電設備の集中管理システム。
【請求項２】
前記センサー手段は、前記高圧受電設備のトランスの、直流信号としての検出データであるトランス漏電検出信号、トランス温度検出信号、煙感知信号をＡ／Ｄ変換するアナログ計測部であり、
前記データ処理手段は、前記アナログ計測部で検出した前記検出データを、予め設定されたレベルと比較処理をして、前記レベルが異常値であれば警報データとして、その内容を判断して警報発生状況を把握した後、前記警報データを処理するマイコン制御部及び前記マイコン制御部の指令により起動して前記警報データを出力するデータ通信用インターフェースとで構成してあり、
前記無電伝送手段は、前記データ処理手段の前記データ通信用インターフェースから出力された前記警報データを伝送するデジタルコードレス電話などの無線回路網であり、
前記集中管理手段は、前記無線回路網で伝送された前記警報データを受信する管理側データ通信用インターフェースと前記警報データを元に前記複数の自家変電設備を集中管理する集中管理装置であることを特徴とする請求項１に記載の自家変電設備の集中管理システム。
【発明の詳細な説明】
【０００１】
【発明の属する技術分野】
本発明は、自家変電設備の保安のための制御装置の集中管理システムに関するものである。
【０００２】
【従来の技術】
自家変電設備の働き状況を常に監視する技術については、法律で定められた高圧受電設備（一般にはキュビクルと呼んでいる）の定期点検を行わなければならない。
【０００３】
従来、高圧受電設備の漏洩電流監視、トランスの温度監視、高圧受電設備の煙感知、停電監視等は、監視装置なるユニットを利用して行い、その状況をデータとして公衆回線網（ＰＳＴＮ）に送出し、このデータを集中管理設備で受信して集中管理を行っていた。
【０００４】
【発明が解決しようとする課題】
しかしながら、上記従来の自家変電設備の集中管理システムにあっては、高圧受電設備の設置場所がほとんど屋上や屋外であって、公衆回線網（ＰＳＴＮ）　（一般に黒電話回線間又はＮＴＴ公衆回線網）だけの場合は、高圧受電設備までの電話回線の設置工事が必要となり、工事費及び工事期間が必要になるという問題点があった。
【０００５】
本発明は、上記の問題点に着目して成されたものであって、その目的とするところは、自家変電設備の警報発生状況を電線（コード類）レスの無線回路網を使って瞬時に把握できて、高圧受電設備までの電話回線の設置工事が不必要になり、工事費及び工事期間の必要がなくなる自家変電設備の集中管理システムを提供することにある。
【０００６】
【課題を解決するための手段】
上記の目的を達成するために、本発明に係る自家変電設備の集中管理システムは、複数の自家変電設備における高圧受電設備が出力するデータを検出するセンサー手段と、センサー手段が検出した検出データを、予め設定されたレベルと比較処理をして、レベルが異常値であれば警報データとして、その内容を判断して警報発生状況を把握した後、警報内容に従って前記警報データを出力するデータ処理手段と、データ処理手段から出力された警報データを無電伝送する無電伝送手段と、無電伝送手段からの警報データを受信して複数の自家変電設備を集中管理する集中管理手段とを備えたものである。
【０００７】
かかる構成により、複数の自家変電設備を中央管理装置で監視し、不具合（停電、漏電、温度上昇等）が発生したとき、即座に保安主任者に、その内容を警報、警告、注意等のレベルにて知らせ、不具合点の箇所の修復なり、処置ができるようなシステムの構築が可能になり、自家変電設備の警報発生状況を無電伝送手段、例えば電線（コード類）レスの回路網を使って瞬時に把握できるようになる。
【０００８】
このために、高圧受電設備までの電話回線の設置工事が不必要になり、工事費及び工事期間が必要なくなる。
【０００９】
また、本発明に係る自家変電設備の集中管理システムは、上記した本発明に係る自家変電設備の集中管理システムにおいて、センサー手段は、高圧受電設備のトランスの、直流信号としての検出データであるトランス漏電検出信号、トランス温度検出信号、煙感知信号をＡ／Ｄ変換するアナログ計測部であり、データ処理手段は、アナログ計測部で検出した検出データを、予め設定されたレベルと比較処理をして、レベルが異常値であれば警報データとして、その内容を判断して警報発生状況を把握した後、警報データを処理するマイコン制御部及びマイコン制御部の指令により起動して警報データを出力するデータ通信用インターフェースとで構成してあり、無電伝送手段は、データ処理手段のデータ通信用インターフェースから出力された警報データを伝送するデジタルコードレス電話などの無線回路網であり、集中管理手段は、無線回路網で伝送された警報データを受信する管理側データ通信用インターフェースと警報データを元に複数の自家変電設備を集中管理する集中管理装置である。
【００１０】
かかる構成により、複数の自家変電設備における高圧受電設備に異常、例えば、トランスでの電流の漏洩、トランスの温度上昇、煙の発生等が発生した場合には、アナログ計測部がトランスの漏電、トランスの温度を検出し、煙の感知を行い、このアナログ計測部は、検出したデータ（直流信号）としての漏電検出信号、トランス温度検出信号、煙感知信号をＡ／Ｄ変換し、マイコン制御部に入力し、マイコン制御部は、アナログ計測部にて検出したデータを、予め設定されたレベルと比較処理をして、レベルが異常値であれば警報データとし、その警報データの内容を判断し、警報発生状況を把握した後、警報内容に従ってデータ通信用インターフェースを起動して警報データをデジタルコードレス電話などの無線回路網に送出し、集中監視設備の管理側データ通信用インターフェースに介して中央管理装置において複数の自家変電設備を監視することができる。
【００１１】
このように、複数の自家変電設備に不具合（停電、漏電、温度上昇等）が発生したとき、即座に保安主任者に、その内容を警報、警告、注意等のレベルにて知らせ、不具合点の箇所の修復なり、処置ができるようなシステムの構築が可能になり、自家変電設備の警報発生状況をデジタルコードレス電話などの無線回路網を使って瞬時に把握できるようになる。
【００１２】
このために、高圧受電設備までの電話回線の設置工事が不必要になり、工事費及び工事期間が必要なくなる。
【００１３】
【発明の実施の形態】
以下、本発明の実施の形態を図面に基づいて説明する。
【００１４】
図１は本発明に係る自家変電設備の集中管理システムの構成説明図、図２は同自家変電設備の集中管理システムにおける高圧受電設備監視装置のデータ処理部のブロック図である。
【００１５】
本発明に係る自家変電設備の管理システムは、複数の自家変電設備１０における高圧受電設備１１が出力するデータを検出するセンサー手段及びこのセンサー手段が検出した検出データを、予め設定されたレベルと比較処理をして、レベルが異常値であれば警報データとして、その内容を判断して警報発生状況を把握した後、警報内容に従って警報データを出力するデータ処理手段としてのデータ処理部１２と、このデータ処理部１２から出力された警報データを無電伝送する無電伝送手段としてのデジタルコードレス電話（ＰＨＳ電話網）などの無線回路網４０と、この無線回路網４０からの警報データを受信して複数の自家変電設備１０を集中管理する集中管理手段としての集中監視設備３０とを備えている。
【００１６】
自家変電設備１０は、高圧受電設備１１と、データ処理部１２と、データ通信用インターフェース１３とで構成してある。また、集中管理設備３０は管理側データ通信用インターフェース３１と集中管理装置３２とで構成してある。
【００１７】
高圧受電設備１１は、高圧、例えば６６００Ｖの入力を２００Ｖ／１００Ｖの商用電圧に変換するトランス（図示せず）を格納した小屋状ボックス（図示せず）である。
【００１８】
また、図２に示すように、データ処理部１２は、高圧受電設備１１が出力するデータを検出するセンサー手段であるアナログ計測部１６と、マイコン制御部１７と、データ通信用インターフェース１３を構成するモデム（ＭＯＤＥＭ）＆網制御装置（ＮＣＵ）部１８と、表示＆スイッチ部１９とを備えており、アナログ計測部１６とマイコン制御部１７とモデム（ＭＯＤＥＭ）＆網制御装置（ＮＣＵ）部１８とは安定化電源部１９に接続してあり、安定化電源部１９にはＡＣ電源２０及び電池２１が接続してある。
【００１９】
アナログ計測部１６は、トランスの漏電検出、トランスの温度検出、煙感知のそれぞれのセンサ部（図示せず）を有している。そして、センサー部の処理したデータ（直流信号）としての漏電検出信号Ｉａ、Ｉｂ、トランス温度検出信号ａ、ｂ、煙感知信号ｃをＡ／Ｄ変換し、マイコン制御部１７が処理できるデータにするものである。
【００２０】
マイコン制御部１７は、アナログ計測部１６にて検出した検出データを、予め設定されたレベルと比較処理をして、レベルが異常値であれば警報データとする。その警報データの内容を判断し、警報発生状況を把握した後、警報内容に従って、表示＆スイッチ部１９でランプ表示をし、自動的にモデム（ＭＯＤＥＭ）＆網制御装置（ＮＣＵ）部１８を起動して、警報データを、集中管理設備３０の管理側データ通信用インターフェース３１へ送出するものである。
【００２１】
表示＆スイッチ部１９は、計測デー夕を表示するＬＣＤ表示部として、電源が供給されているときに点灯する電源ランプ、データ伝送が正常に終了した場合は滅灯し、更に通信異常の場合は約５秒問点滅する通信ランプを有しており、また、スイッチ部としては、入力状態のモニター、データの確認、設定編集等の操作をするための操作スイッチ、設定データの確認、編集ができる設定スイッチなどを有している。
【００２２】
モデム（ＭＯＤＥＭ）＆網制御装置（ＮＣＵ）部１８は、伝送するデジタル信号をＰＨＳの周波数に変調して無線回路網（ＰＨＳ電話網）４０に送出するものである。
【００２３】
集中管理設備３０における管理側データ通信用インターフェース３１は、モデム（ＭＯＤＥＭ）＆網制御装置（ＮＣＵ）部１８で無線回路網（ＰＨＳ電話網）４０に送出されたデータを受信して集中管理装置３２に伝送するものである。
【００２４】
また、集中管理装置３２は、管理側データ通信用インターフェース３１からデータを受けて、このデータを元に、各高圧受電設備１０を監視し、不具合（停電、漏電、温度上昇等）が発生したとき、即座に保安主任者に、その内容を警報、警告、注意等のレベルにて知らせ、不具合点の箇所の修復なり、処置ができるように、その状況を集中管理するものである。
【００２５】
次に、上記のように構成された自家変電設備の集中管理システムの動作を説明する。
【００２６】
高圧受電設備１１に異常、例えば、トランスでの電流の漏洩、トランスの温度上昇、煙の発生等が発生した場合には、アナログ計測部１６がトランスの漏電、トランスの温度を検出し、煙の感知を行う。
【００２７】
そして、アナログ計測部１６は、それぞれのセンサー部が検出したデータ（直流信号）としての漏電検出信号Ｉａ、Ｉｂ、トランス温度検出信号ａ、ｂ、煙感知信号ｃをＡ／Ｄ変換し、マイコン制御部１７に入力する。
【００２８】
マイコン制御部１７は、アナログ計測部１６にて検出した検出データを、予め設定されたレベルと比較処理をして、レベルが異常値であれば警報データとする。その警報データの内容を判断し、警報発生状況を把握した後、警報内容に従って、表示＆スイッチ部１９でランプ表示をし、自動的にモデム（ＭＯＤＥＭ）＆網制御装置（ＮＣＵ）部１８を起動して、警報データ（デジタル信号）をＰＨＳの周波数に変調し無線回路網（ＰＨＳ電話網）４０に送出する。
【００２９】
そして、無線回路網（ＰＨＳ電話網）４０に送出された警報データは集中管理設備３０における管理側データ通信用インターフェース３１で受信して集中管理装置３２に入力される。
【００３０】
集中管理装置３２は警報データを受けて、この警報データを元に、各高圧受電設備１０で生じた不具合（高圧受電設備１１のトランスの漏洩電流、停電、温度上昇、煙感知等）を、即座に保安主任者に、その内容を警報、警告、注意等のレベルにて知らせ、不具合点の箇所の修復なり、処置を行うように対処するようになる。
【００３１】
なお、上記した本実施の形態によれば、無線回路網４０としてＰＨＳ電話網を用いたが、これに限らず、高圧受電設備１１のトランスの漏洩電流、停電、温度上昇、煙感知等のデータをデジタル処理を行い、データ通信用インターフェース１３でＰＳＴＮの場合、ＮＴＴ交換機経由ホストコンピュータに接続し送信するようにしてもよいし、また、環地球型データ伝送回路等を経由して送信するようにしてもよい。
【００３２】
【発明の効果】
以上説明したように、本発明に係る自家変電設備の集中管理システムによれば、複数の自家変電設備を中央管理装置で監視し、不具合（停電、漏電、温度上昇等）が発生したとき、即座に保安主任者に、その内容を警報、警告、注意等のレベルにて知らせ、不具合点の箇所の修復なり、処置ができるようなシステムの構築が可能になり、自家変電設備の警報発生状況を無電伝送手段、例えば電線（コード類）レスの回路網を使って瞬時に把握できるようになる。
【００３３】
このために、高圧受電設備までの電話回線の設置工事が不必要になり、工事費及び工事期間が必要なくなる。
【００３４】
また、本発明に係る自家変電設備の集中管理システムによれば、複数の自家変電設備における高圧受電設備に異常、例えば、トランスでの電流の漏洩、トランスの温度上昇、煙の発生等が発生した場合には、アナログ計測部がトランスの漏電、トランスの温度を検出し、煙の感知を行い、このアナログ計測部は、検出したデータ（直流信号）としての漏電検出信号、トランス温度検出信号、煙感知信号をＡ／Ｄ変換し、マイコン制御部に入力し、マイコン制御部は、アナログ計測部にて検出したデータを、予め設定されたレベルと比較処理をして、レベルが異常値であれば警報データとし、その警報データの内容を判断し、警報発生状況を把握した後、警報内容に従ってデータ通信用インターフェースを起動して警報データをデジタルコードレス電話などの回路網に出力し、集中監視設備の管理側データ通信用インターフェースに送出して、中央管理装置において複数の自家変電設備を監視することができる。
【００３５】
このように、複数の自家変電設備に不具合（停電、漏電、温度上昇等）が発生したとき、即座に保安主任者に、その内容を警報、警告、注意等のレベルにて知らせ、不具合点の箇所の修復なり、処置ができるようなシステムの構築が可能になり、自家変電設備の警報発生状況をデジタルコードレス電話などの無線回路網を使って瞬時に把握できるようになる。
【００３６】
このために、高圧受電設備までの電話回線の設置工事が不必要になり、工事費及び工事期間が必要なくなる。
【図面の簡単な説明】
【図１】本発明に係る自家変電設備の集中管理システムの構成説明図である。
【図２】同自家変電設備の集中管理システムにおける高圧受電設備監視装置のデータ処理部のブロック図である。
【符号の説明】
１０　　自家変電設備
１１　　高圧受電設備
１２　　データ処理部（データ処理手段）
１３　　データ通信用インターフェース
１６　　アナログ計測部（センサー手段）
１７　　マイコン制御部
１８　　モデム（ＭＯＤＥＭ）＆網制御装置（ＮＣＵ）部
１９　　表示＆スイッチ部
２０　　安定化電源部
２１　　ＡＣ電源
２２　　電池
３０　　集中管理設備（集中管理手段）
３１　　管理側データ通信用インターフェース
３２　　集中管理装置
４０　　無線回路網（ＰＨＳ電話網）（無電伝送手段）
【図１】
2004040641.tif 000003
【図２】
2004040641.tif 000004